(57)【要約】【課題】隣り合う芯材間に断熱材を取り付ける際の手間を省略することが可能な断熱材の設置構造および断熱材の設置方法を提供することを目的とする。【解決手段】建物の壁や床、天井、屋根等に設置される断熱材２であり、この断熱材２の厚さ方向に直交する一面側２ａおよび他面側２ｂに、これら一面側２ａおよび他面側２ｂから内側に向かって交互にスリット３を形成することによって、幅方向に沿って弾性伸縮可能となっている。また、このようなこの断熱材２を、建築用パネル１０の内部中間部１３を介して隣り合う芯材１，１間の寸法に応じて伸縮させるとともに、これら芯材１，１の両対向面１ｃ，１ｃに、断熱材２の両側端面２ｃ，２ｃを弾性的に当接するようにして内部中空部１３に配置する断熱材２の取付構造および取付方法。これにより、建物の壁や床等に断熱材を設置する際の手間を省略することができる。【選択図】図２
2008180015.tif 000002
【特許請求の範囲】
【請求項１】
建物の壁や床、天井、屋根等に設置される断熱材において、
この断熱材の厚さ方向に直交する一面側および他面側に、これら一面側および他面側から内側に向かって交互にスリットを形成することによって、幅方向に沿って弾性伸縮可能となっていることを特徴とする断熱材。
【請求項２】
請求項１に記載の断熱材において、
前記断熱材の一面側から内側に向かって形成されたスリットの先端部は、断熱材の厚さ方向中間部よりも他面側に位置し、前記断熱材の他面側から内側に向かって形成されたスリットの先端部は、断熱材の厚さ方向中間部よりも一面側に位置していることを特徴とする断熱材。
【請求項３】
請求項１または２に記載の断熱材において、
前記スリットは、前記断熱材の一面側および他面側から内側に向かって先鋭に形成されていることを特徴とする断熱材。
【請求項４】
建物を構成する建築用パネルに、請求項１〜３のいずれか一項に記載の断熱材を設置してなる断熱材の設置構造であって、
前記建築用パネルは、複数の芯材を矩形枠状に組んだ枠体と、この枠体の少なくとも一方の表面に取り付けられた面材とを備え、これら枠体および面材によって形成される内部中空部に前記断熱材が配置されており、
前記断熱材は、前記内部中空部を介して隣り合う芯材間の寸法に応じて伸長または収縮されるとともに、この断熱材の両側端面が、前記隣り合う芯材の両対向面に固着されていることを特徴とする断熱材の設置構造。
【請求項５】
建物を構成する建築用パネルに、請求項１〜３のいずれか一項に記載の断熱材を設置する断熱材の設置方法であって、
前記建築用パネルを、複数の芯材を矩形枠状に組んで枠体を形成するとともに、この枠体の一方の表面に面材を取り付けて内部中空部を有する状態に形成しておき、
前記断熱材を、前記内部中間部を介して隣り合う芯材間の寸法に応じて伸長または収縮させるとともに、これら芯材の両対向面に、断熱材の両側端面を固着するようにして、前記内部中空部に配置することを特徴とする断熱材の設置方法。 
【発明の詳細な説明】
【技術分野】
【０００１】
本発明は、建物の壁や床、天井、屋根等に設置される断熱材、断熱材の設置構造および断熱材の設置方法に関する。
【背景技術】
【０００２】
近年、住宅の構築についてはその工業化が進み、例えば壁や床、屋根といった構成要素を予め工場にてパネル化しておき、施工現場でこれらの建築用パネルを組み立てることにより住宅を構築するパネル工法が一部に採用されている（例えば、特許文献１参照）。
そして、このパネル工法の場合、建築用パネルに合わせて所定の大きさに形成した断熱材を、複数の芯材を組んで枠状に形成されたパネルの内部中空部に配置する方法が多く採られる。そして、これらの断熱材は、例えばグラスウール等の軟質断熱材が多く用いられている。
【特許文献１】特開平１０−２３８０１３号公報
【発明の開示】
【発明が解決しようとする課題】
【０００３】
ところで、上記のようなグラスウールは、ガラス繊維を綿状とし、所定の形状に整形したものであるが、直径４〜８μｍ程度のガラス繊維が皮膚に付着して刺激を与える場合がある。特に、パネル内部でのずり落ち防止等を考慮してグラスウールを配置するには、グラスウールを手作業で押し込むなどの作業によってパネルの内部中空部に十分に充填しなければならないため、作業者にとって取り扱いにくい場合があった。
【０００４】
そこで、グラスウールに代わって、ウレタンフォームやスチレンフォーム等の硬質断熱材を使用したいという要望があった。このような硬質断熱材の場合、パネルの内部中空部の大きさに合わせてカットされた断熱材を予め用意しておき、これら断熱材を内部中空部に配置する方法や、または内部中空部の大きさに合わせて断熱材をカッター等によって切断し、この切断された断熱材を内部中空部に配置する方法が採用される。
【０００５】
ところが、このような方法を採用した場合、内部中空部の大きさはパネルの大きさによって様々であるため、複数の大きさの断熱材を予め用意しておくのに手間がかかったり、カッター等によって断熱材を複数の大きさに切断する手間がかかる場合がある。特に、断熱材の厚さや密度が大きくなると、断熱材を切断し難くなり、さらに切断作業に手間がかかるなどの問題があった。
【０００６】
本発明の課題は、建物の壁や床等に断熱材を設置する際の手間を省略することが可能な断熱材、断熱材の設置構造および断熱材の設置方法を提供することを目的とする。
【課題を解決するための手段】
【０００７】
請求項１に記載の発明は、例えば図１および図２に示すように、建物の壁や床、天井、屋根等に設置される断熱材２において、
この断熱材２の厚さ方向に直交する一面側２ａおよび他面側２ｂに、これら一面側２ａおよび他面側２ｂから内側に向かって交互にスリット３を形成することによって、幅方向に沿って弾性伸縮可能となっていることを特徴とする。
【０００８】
請求項１に記載の発明によれば、前記断熱材２は、この断熱材２の厚さ方向に直交する一面側２ａおよび他面側２ｂから内側に向かって交互にスリット３を形成することによって、幅方向に沿って弾性伸縮可能となっているので、これらスリット３を開放状態とすることによって、前記断熱材２を幅方向に沿って伸長させることができ、これらスリット３を閉塞状態とすることによって、前記断熱材２を幅方向に沿って収縮させることができる。これによって、従来とは異なり、パネルの大きさに応じた複数の断熱材を用意したり、断熱材の切断作業をする必要がなくなるので、建物の壁や床等に断熱材２を設置する際の手間を省略することが可能となる。
【０００９】
請求項２に記載の発明は、例えば図１および図２に示すように、請求項１に記載の断熱材２の設置構造において、
前記断熱材２の一面側２ａから内側に向かって形成されたスリット３の先端部３ａは、断熱材２の厚さ方向中間部よりも他面側２ｂに位置し、前記断熱材２の他面側２ｂから内側に向かって形成されたスリット３の先端部３ａは、断熱材２の厚さ方向中間部よりも一面側２ａに位置していることを特徴とする。
【００１０】
請求項２に記載の発明によれば、前記断熱材２の一面側２ａから内側に向かって形成されたスリット３の先端部３ａは、断熱材２の厚さ方向中間部よりも他面側２ｂに位置し、前記断熱材２の他面側２ｂから内側に向かって形成されたスリット３の先端部３ａは、断熱材２の厚さ方向中間部よりも一面側２ａに位置しているので、これらスリット３の寸法を、スリット３の先端部３ａが断熱材２の厚さ方向中間部を越えるように長くとることができる。これによって、例えばスリット３の先端部３ａが断熱材２の厚さ方向中間部を越えない場合に比して、断熱材２を幅方向に沿って伸長させた際のスリット３の開放幅が大きくなるので、断熱材２を十分に伸長させることができる。
【００１１】
請求項３に記載の発明は、例えば図１および図２に示すように、請求項１または２に記載の断熱材２の設置構造において、
前記スリット３は、前記断熱材２の一面側２ａおよび他面側２ｂから内側に向かって先鋭に形成されていることを特徴とする。
【００１２】
請求項３に記載の発明によれば、前記スリット３は、前記断熱材２の一面側２ａおよび他面側２ｂから内側に向かって先鋭に形成されていることから、例えば先端が平面状に形成されたスリット（図示せず）の場合とは異なり、断熱材２を幅方向に沿って収縮させた際に、これらスリット３を隙間無く確実に閉塞状態とすることができるので、断熱材２を十分に収縮させることができる。
【００１３】
請求項４に記載の発明は、例えば図２に示すように、建物を構成する建築用パネル１０に、請求項１〜３のいずれか一項に記載の断熱材２を設置してなる断熱材２の設置構造であって、
前記建築用パネル１０は、複数の芯材１，１…を矩形枠状に組んだ枠体１１と、この枠体１１の少なくとも一方の表面に取り付けられた面材１２とを備え、これら枠体１１および面材１２によって形成される内部中空部１３に前記断熱材２が配置されており、
前記断熱材２は、前記内部中空部を介して隣り合う芯材１，１間の寸法に応じて伸長または収縮されるとともに、この断熱材２の両側端面２ｃ，２ｃが、前記隣り合う芯材１，１の両対向面１ａ，１ａに固着されていることを特徴とする。
【００１４】
請求項４に記載の発明によれば、前記建築用パネル１０は、複数の芯材１，１…を矩形枠状に組んだ枠体１１と、この枠体１１の少なくとも一方の表面に取り付けられた面材１２とを備え、これら枠体１１および面材１２によって形成される内部中空部１３に前記断熱材２が配置されており、前記断熱材２は、前記内部中空部を介して隣り合う芯材１，１間の寸法に応じて伸長または収縮されるとともに、この断熱材２の両側端面２ｃ，２ｃが、前記隣り合う芯材１，１の両対向面１ａ，１ａに固着されていることから、この断熱材２を、前記芯材１，１間に確実に保持することができるので、断熱材２を前記建築用パネル１０に対して確実に設置することができる。
また、従来とは異なり、パネルの大きさに応じた複数の断熱材を用意したり、断熱材の切断作業をする必要がなくなるので、建物を構成する建築用パネル１０に断熱材２を設置する際の手間を省略することができる。
【００１５】
請求項５に記載の発明は、例えば図１および図２に示すように、建物を構成する建築用パネル１０に、請求項１〜３のいずれか一項に記載の断熱材２を設置する断熱材２の設置方法であって、
前記建築用パネル１０を、複数の芯材１，１…を矩形枠状に組んで枠体１１を形成するとともに、この枠体１１の一方の表面に面材１２を取り付けて内部中空部１３を有する状態に形成しておき、
前記断熱材２を、前記内部中間部１３を介して隣り合う芯材１，１間の寸法に応じて伸長または収縮させるとともに、これら芯材１，１の両対向面１ｃ，１ｃに、断熱材２の両側端面２ｃ，２ｃを固着するようにして、前記内部中空部１３に配置することを特徴とする。
【００１６】
請求項５に記載の発明によれば、前記断熱材２を、前記建築用パネル１０の内部中空部１３を介して隣り合う芯材１，１間の寸法に応じて伸長または収縮させるとともに、これら芯材１，１の両対向面１ｃ，１ｃに、断熱材２の両側端面２ｃ，２ｃを固着するだけで、前記内部中空部１３に配置することができるので、この断熱材２を、前記芯材１，１間に確実に保持することができ、前記断熱材２を、前記建築用パネル１０に対して確実かつ容易に設置することができる。
また、従来とは異なり、パネルの大きさに応じた複数の断熱材を用意したり、断熱材の切断作業をする必要がなくなるので、建物を構成する建築用パネル１０に断熱材２を設置する際の手間を省略することができる。
【発明の効果】
【００１７】
本発明によれば、建物の壁や床、天井、屋根等に設置される断熱材は、この断熱材の厚さ方向に直交する一面側および他面側から内側に向かって交互にスリットを形成することによって、幅方向に沿って弾性伸縮可能となっているので、これらスリットを開放状態とすることによって、断熱材を幅方向に沿って伸長させることができ、これらスリットを閉塞状態とすることによって、断熱材を幅方向に沿って収縮させることができる。これによって、従来とは異なり、パネルの大きさに応じた複数の断熱材を用意したり、断熱材の切断作業をする必要がなくなるので、建物の壁や床等に断熱材を設置する際の手間を省略することが可能となる。
また、このような断熱材を、建築用パネルの内部中空部を介して隣り合う芯材間の寸法に応じて伸縮させるとともに、これら芯材の両対向面に、断熱材の両側端面を弾性的に当接させるだけで、内部中空部に配置することができるので、この断熱材を、芯材間に確実に保持することができ、断熱材を、建築用パネルに対して確実かつ容易に設置することができる。
【発明を実施するための最良の形態】
【００１８】
以下、図面を参照して本発明の実施の形態について説明する。なお、本実施の形態の断熱材は、壁や床、屋根といった建物の構成要素を予め工場にてパネル化しておき、施工現場でこれらの建築用パネルを組み立てて建物を構築するようなパネル工法に用いられるが、従来の軸組工法や壁式工法の木造、鉄骨造、鉄筋コンクリート造等の各建物・各工法にも用いることができる。
【００１９】
本実施の形態の断熱材２は、図１および図２に示すように、建物の壁や床、天井、屋根等に設置されるものであり、この断熱材２の厚さ方向に直交する一面側２ａおよび他面側２ｂに、これら一面側２ａおよび他面側２ｂから内側に向かって交互にスリット３を形成することによって、幅方向に沿って弾性伸縮可能となっている。
【００２０】
前記断熱材２は、例えばウレタンフォームやスチレンフォーム等の硬質断熱材が用いられており、元々平面視矩形状であった硬質断熱材に、図１に示すように、この硬質断熱材の厚さ方向に直交する一面側２ａおよび他面側２ｂから内側に向かって交互にスリット３を形成するようにして構成されている。
【００２１】
そして、前記断熱材２は、この断熱材２の厚さ方向に直交する一面側２ａおよび他面側２ｂから内側に向かって交互に形成されたスリット３を、それぞれ開放状態とすることによって、断熱材２を幅方向に沿って伸長させることができ、これらスリット３をそれぞれ閉塞状態とすることによって、断熱材２を幅方向に沿って収縮させることができるようになっている。これによって、本実施の形態の断熱材２は、その幅方向に沿って弾性伸縮可能となっている。
【００２２】
また、前記スリット３は、前記断熱材２に対して複数形成されており、その形成された数量に応じて断熱材２の伸縮範囲を変更することができるようになっており、適宜変更可能であることは言うまでもない。
【００２３】
さらに、図１および図２に示すように、前記断熱材２の一面側２ａから内側に向かって形成されたスリット３の先端部３ａは、断熱材２の厚さ方向中間部よりも他面側２ｂに位置し、前記断熱材２の他面側２ｂから内側に向かって形成されたスリット３の先端部３ａは、断熱材２の厚さ方向中間部よりも一面側２ａに位置している。
【００２４】
すなわち、前記断熱材２の一面側２ａから内側に向かって形成されたスリット３の先端部３ａを、断熱材２の厚さ方向中間部よりも他面側２ｂに位置させ、前記断熱材２の他面側２ｂから内側に向かって形成されたスリット３の先端部３ａを、断熱材２の厚さ方向中間部よりも一面側２ａに位置させることで、これらスリット３の寸法を、スリット３の先端部３ａが断熱材２の厚さ方向中間部を越えるように長くとることができる。
これによって、例えばスリット３の先端部３ａが断熱材２の厚さ方向中間部を越えない場合に比して、断熱材２を幅方向に沿って伸長させた際のスリット３の開放幅が大きくなるので、断熱材２を十分に伸長させることが可能となる。
【００２５】
つまり、このようにスリット３を、その先端が断熱材２の厚さ方向中間部を超えるように長く形成することによって、前記断熱材２を、例えばスリット３の先端部３ａが断熱材２の厚さ方向中間部を越えない場合に比して、より大きな蛇行形状となるように形成できるようになっている。
【００２６】
一方、前記スリット３は、前記断熱材２の一面側２ａおよび他面側２ｂから内側に向かって先鋭に形成されており、例えば先端が平面状に形成されたスリット（図示せず）の場合とは異なり、断熱材２を幅方向に沿って収縮させた際に、これらスリット３を隙間無く確実に閉塞状態とすることができるので、断熱材２を十分に収縮させることができるようになっている。
【００２７】
なお、図示はしないが、例えばスリットの先端部が平面状に形成されると、断熱材２を幅方向に沿って収縮させた際に、スリットの先端部付近を完全に閉塞しにくくなって空隙が生じてしまったり、断熱材２の表面が歪んでしまったりする場合がある。
【００２８】
以上のようにして、本実施の形態の断熱材２は、図２（ａ），（ｂ）に示すように、その幅方向に沿って弾性伸縮可能となっている。
【００２９】
なお、前記断熱材２の一面側２ａから内側に向かって形成されたスリット３の数量と、前記断熱材２の他面側２ｂから内側に向かって形成されたスリット３の数量は同一であることが望ましい。
【００３０】
また、本実施の形態の断熱材２の一面側２ａおよび他面側２ｂは、図１および図２中において一面側２ａが上方に位置し、他面側２ｂが下方に位置した状態となっているが、これに限られるものではなく、これら一面側２ａおよび他面側２ｂの位置を逆にしても良いものとする。
【００３１】
以上のような断熱材２によれば、前記スリット３を開放状態とすることによって、前記断熱材２を幅方向に沿って伸長させることができ、これらスリット３を閉塞状態とすることによって、前記断熱材２を幅方向に沿って収縮させることができるので、従来とは異なり、パネルの大きさに応じた複数の断熱材を用意したり、断熱材の切断作業をする必要がなくなり、建物の壁や床等に断熱材２を設置する際の手間を省略することが可能となる。
【００３２】
そして、このような断熱材２は、建物を構成する建築用パネル１０に設置されるようになっている。以下に、本実施の形態の断熱材２の取付構造について説明する。
【００３３】
すなわち、前記建築用パネル１０は、図２（ａ），（ｂ）に示すように、複数の芯材１，１…を矩形枠状に組んだ枠体１１と、この枠体１１の少なくとも一方の表面に取り付けられた面材１２とを備えており、これら枠体１１および面材１２によって内部中空部１３が形成されている。
【００３４】
なお、前記建築用パネル１０は、用いられる箇所によって大きさや形状が異なり、例えば一棟の住宅に対して複数種類のパネルが用いられるため、図２（ａ）と図２（ｂ）とを比較してわかるように、前記内部中空部１３を介して隣り合う芯材１，１間の寸法も複数種類のものとなる。
【００３５】
そして、このような建築用パネル１０の内部中空部１３に前記断熱材２が配置されており、この断熱材２の両側端面２ｃ，２ｃは、前記内部中空部１３を介して隣り合う芯材１，１の両対向面１ａ，１ａに弾性的に当接された状態となっている。
【００３６】
以上のような本実施の形態の断熱材２の設置構造によれば、前記建築用パネル１０は、複数の芯材１，１…を矩形枠状に組んだ枠体１１と、この枠体１１の少なくとも一方の表面に取り付けられた面材１２とを備え、これら枠体１１および面材１２によって形成される内部中空部１３に前記断熱材２が配置されており、前記断熱材２は、前記内部中空部を介して隣り合う芯材１，１間の寸法に応じて伸長または収縮されるとともに、この断熱材２の両側端面２ｃ，２ｃが、前記隣り合う芯材１，１の両対向面１ａ，１ａに固着されていることから、この断熱材２を、前記芯材１，１間に確実に保持することができるので、断熱材２を前記建築用パネル１０に対して確実に設置することができる。
また、従来とは異なり、パネルの大きさに応じた複数の断熱材を用意したり、断熱材の切断作業をする必要がなくなるので、建物を構成する建築用パネル１０に断熱材２を設置する際の手間を省略することができる。
【００３７】
なお、前記断熱材２は、建築用パネル１０に設置されるものであるとしたが、これに限られるものではなく、例えばツーバイフォー工法の壁を構成する軸組部材間に設置されるものや、複数の柱と梁とを備えた骨組みを有する複数の建物ユニットを組み合わせて施工されるユニット式建物等の鉄骨造の建物に適用しても良く、本発明の趣旨を逸脱しない範囲で適宜変更可能である。
【００３８】
次に、図面を参照して本実施の形態の断熱材２の設置方法について説明する。
【００３９】
本実施の形態の断熱材２の設置方法は、に断熱材２を設置するものであり、前記建築用パネル１０き、さらに、前記断熱材２を、この断熱材２の厚さ方向に直交する一面側２ａおよび他面側２ｂに、これら一面側２ａおよび他面側２ｂから内側に向かって交互にスリット３を形成して、幅方向に沿って弾性伸縮可能としておき、その後、
【００４０】
すなわち、まず、図２（ａ），（ｂ）に示すように、建物を構成する建築用パネル１０を、複数の芯材１，１…を矩形枠状に組んで枠体１１を形成するとともに、この枠体１１の一方の表面に面材１２を取り付けて内部中空部１３を有する状態に形成しておく。
【００４１】
さらに、図１に示すように、前記断熱材２を、この断熱材２の厚さ方向に直交する一面側２ａおよび他面側２ｂから内側に向かって交互にスリット３を形成することによって、幅方向に沿って弾性伸縮可能にしておく。
【００４２】
なお、前記断熱材２にスリット３を形成するに際しては、専用の加工装置（図示せず）を使用することが好ましい。すなわち、従来とは異なり、前記断熱材２は上述のように複数種類のパネルに対して適用できるので、材料・部材等を画一化することができ、作業性の面においてもコストの面においても効率が良い。
【００４３】
その後、この断熱材２を、前記内部中間部１３を介して隣り合う芯材１，１間の寸法に応じて伸縮させるとともに、これら芯材１，１の両対向面１ｃ，１ｃに、断熱材２の両側端面２ｃ，２ｃを弾性的に当接するようにして、前記内部中空部１３に配置する。
【００４４】
そして、これら芯材１，１間に断熱材２を取り付けた後は、前記枠体１１の他方の表面に面材１２を取り付けて密閉する。
なお、このように面材１２が枠体１１の両方の表面に取り付けられた建築用パネルは、主に壁パネルとして用いられることが多く、枠体１１の一方の表面だけに面材１２が取り付けられた建築用パネル１０は、床パネルや屋根パネル等に用いられる場合がある。
【００４５】
以上のような本実施の形態の断熱材２の設置方法によれば、前記断熱材２を、前記建築用パネル１０の内部中空部１３を介して隣り合う芯材１，１間の寸法に応じて伸長または収縮させるとともに、これら芯材１，１の両対向面１ｃ，１ｃに、断熱材２の両側端面２ｃ，２ｃを固着するだけで、前記内部中空部１３に配置することができるので、この断熱材２を、前記芯材１，１間に確実に保持することができ、前記断熱材２を、前記建築用パネル１０に対して確実かつ容易に設置することができる。
また、従来とは異なり、パネルの大きさに応じた複数の断熱材を用意したり、断熱材の切断作業をする必要がなくなるので、建物を構成する建築用パネル１０に断熱材２を設置する際の手間を省略することができる。
【図面の簡単な説明】
【００４６】
【図１】本発明に係る断熱材の実施形態を示す平面図である。
【図２】本発明に係る断熱材の取付構造の実施形態を示す平断面図であり、（ａ）は芯材間の寸法が広い場合を示し、（ｂ）は芯材間の寸法が狭い場合を示している。
【符号の説明】
【００４７】
１  芯材
２  断熱材
３  スリット
【図１】
2008180015.tif 000003
【図２】
2008180015.tif 000004